(57)【要約】【課題】平常時および非常時のいずれにおいても設置スペースを有効に活用することが可能な物置を提供する。【解決手段】物置１００において、側面パネル１２０の下端を支持する土台部材１１０の内部を便槽空間１１１として利用すべく、この便槽空間１１１の内部に大便器１５１、小便器１５２、トイレ用品収納箱１５０ａ、消臭剤ボトル１５０ｂ等のトイレキット１５０を収納し、同じくトイレキット１５０に含まれる便槽蓋１５３、便槽蓋１５４、床パネル１５６、床パネル１５７を、便槽空間１１１の上部開口部を覆うように取り外し可能に配置して物置空間１６０の床を構成する。非常時には、大便器１５１、小便器１５２等を取り出し、床パネル１５６、床パネル１５７を外して便槽蓋１５３、便槽蓋１５４の便器用開口部１５３ａ、便器用開口部１５４ａに設置して物置１００を簡易トイレとして利用する。【選択図】  図６
2008002214.tif 000002
【特許請求の範囲】
【請求項１】
屋根部、側壁部、扉を含み第１収納空間を構成する上部構造体と、
前記上部構造体を支持するとともに、床部に隠蔽された第２収納空間を備えた下部構造体と、
前記第２収納空間に収納されたトイレキットと、
を含むことを特徴とする物置。
【請求項２】
請求項１記載の物置において、
前記屋根部は、蓄光性顔料を含む透光性のトップライトと、前記トップライトの内側に着脱自在に設けられた遮光性の天井パネルとを含むことを特徴とする物置。
【請求項３】
請求項１記載の物置において、
前記床部は、前記第２収納空間の上部に着脱自在に配置され、前記トイレキットに含まれる便器が接続される便器用開口部を備えた便槽蓋と、前記便槽蓋を覆う床板と、を含むことを特徴とする物置。
【請求項４】
請求項３記載の物置において、
便槽蓋は、大便器用の第１便槽蓋と、小便器用の第２便槽蓋とからなることを特徴とする物置。
【請求項５】
請求項１記載の物置において、
前記トイレキットは、便器、汚物用ビニール袋、を含むことを特徴とする物置。
【請求項６】
請求項１記載の物置において、
前記下部構造体は、基礎に嵌合する嵌合凹部を備えたカップ状に成形され、前記第２収納空間を構成する繊維強化プラスチック（ＦＲＰ）からなることを特徴とする物置。
【請求項７】
請求項１記載の物置において、
前記扉は、前記第１収納空間の内部側から施錠可能な錠前機構を備えたことを特徴とする物置。
【請求項８】
請求項１記載の物置において、
前記上部構造体と前記下部構造体とが、搬送可能に一体に連結されたコンテナボックスからなることを特徴とする物置。
【請求項９】
請求項８記載の物置において、
前記第１収納空間が複数の独立な小室に分割されている場合、個々の前記小室の各々を独立したトイレ用の個室として機能させるための複数の前記下部構造体および前記トイレキットを含むことを特徴とする物置。
【請求項１０】
便器と、汚物用ビニール袋と、既設の物置の基礎部分の空間を便槽として使用する場合に前記便器を設置するための便器用開口部を備えた蓋槽蓋と、前記蓋槽蓋を覆って前記物置の床を構成する床板と、を含むことを特徴とする物置用トイレキット。
【発明の詳細な説明】
【技術分野】
【０００１】
本発明は、物置、物置用トイレキットに関し、たとえば災害時等に有効に機能する物置、物置用トイレキットに関する。
【背景技術】
【０００２】
たとえば、地震等の大規模災害の発生時においては、倒壊等の懸念から一般の家屋や集合住宅等の住人は避難を余儀なくされる。このような避難時において問題となるのがトイレである。すなわち、大規模災害時には、広範囲の停電および断水が発生して電気や水道は一切使用不能になることが予想され、電気や水道の使用を前提とした一般家屋や公共施設のトイレは使用不能となるからである。
【０００３】
従来、このような大規模災害等の非常時にトイレ設備を提供する技術として、たとえば特許文献１に開示された緊急対応簡易トイレが知られている。すなわち、避難場所の敷地内に便槽を埋設し、その内部に仮設の覆い幕や便器を収納し、この便槽の上部に花壇等の識別可能な施設を配置したものである。そして、緊急時には便槽の上部の施設を取り除いて、内部の便器や覆い幕を取り出してトイレ空間を構成するように組み立て、トイレとして使用するものである。
【０００４】
また、特許文献２には、便槽として機能するタンクを所定の場所に埋設し、埋設場所の地面の開口部に、反転した和式便器と当該便器の開口部を覆う上蓋とで隠蔽する構造の非常時用トイレが開示されている。
【０００５】
しかし、上述の特許文献１および特許文献２のいずれの場合も、非常時のトイレ専用の設備で、しかも平常時は不使用となるため、その設置スペースは全く活用できないという問題がある。
【０００６】
さらに、上述の特許文献１および特許文献２のいずれの場合も、夜間のトイレ使用時における照明の問題を全く考慮していない。すなわち、災害時には、停電のため照明用の電源供給は期待できず、夜間においては、利用者は暗闇の中での極めて不便なトイレ使用を強いられる、という問題もある。
【０００７】
【特許文献１】特開平９−２９６６１８号公報
【特許文献２】特開平９−１４０６２７号公報
【発明の開示】
【発明が解決しようとする課題】
【０００８】
本発明の目的は、平常時および非常時のいずれにおいても設置スペースを有効に活用することが可能な物置を提供することにある。
本発明の他の目的は、非常時に利便性の高いトイレとして使用することが可能な物置を提供することにある。
本発明の他の目的は、既設の物置を非常時にトイレとして有効に活用することが可能な物置用トイレキットを提供することにある。
【課題を解決するための手段】
【０００９】
本発明の第１の態様は、屋根部、側壁部、扉を含み第１収納空間を構成する上部構造体と、前記上部構造体を支持するとともに、床部に隠蔽された第２収納空間を備えた下部構造体と、前記第２収納空間に収納されたトイレキットと、を含む物置を提供する。
この第１の態様によれば、たとえば、平常時は物置として物品を収納し、非常時にはトイレとして活用でき、平常時および非常時のいずれにおいても設置スペースを有効に活用することが可能となる。
【００１０】
本発明の第２の態様は、第１の態様に記載の物置において、前記屋根部は、蓄光性顔料を含む透光性のトップライトと、前記トップライトの内側に着脱自在に設けられた遮光性の天井パネルとを含む物置を提供する。
この第２の態様によれば、平常時の物置としての使用時にはトップライトを通じて射し込む外光を天井パネルで遮ることにより、物置内の物品を光や熱から保護できる。また、非常時に物置をトイレとして使用する際には、天井パネルを取り外してトップライトを採光窓として機能させることができるとともに、夜間には電源等のエネルギー供給を必要とすることなく、蓄光性顔料の発光作用によってトップライトを照明装置として機能させることができるので、停電が予想される非常時に利便性の高いトイレとして使用することができる。
【００１１】
本発明の第３の態様は、第１の態様に記載の物置において、前記床部は、前記第２収納空間の上部に着脱自在に配置され、前記トイレキットに含まれる便器が接続される便器用開口部を備えた便槽蓋と、前記便槽蓋を覆う床板と、を含む物置を提供する。
この第３の態様によれば、平常時に物置の床を物品の置き場所として使用する際における便槽蓋の紛失を防止できるとともに、非常時には、この便槽蓋を使用して物置の床に便器を設置してトイレを簡単に構築できる。
【００１２】
本発明の第４の態様は、第３の態様に記載の物置において、便槽蓋は、大便器用の第１便槽蓋と、小便器用の第２便槽蓋とからなる物置を提供する。
この第４の態様によれば、非常時等において、大便器および小便器を用いた本格的な多機能のトイレを構築できる。
【００１３】
本発明の第５の態様は、第１の態様に記載の物置において、前記トイレキットは、便器、汚物用ビニール袋、を含む物置を提供する。
この第５の態様によれば、便器に汚物用ビニール袋を使用して汚物を補足することにより、汚物の廃棄処理を効率よく行うことができる。
【００１４】
本発明の第６の態様は、第１の態様に記載の物置において、前記下部構造体は、基礎に嵌合する嵌合凹部を備えたカップ状に成形され、前記第２収納空間を構成する繊維強化プラスチック（ＦＲＰ）からなる物置を提供する。
この第６の態様によれば、下部構造体に型成形等の方法で任意の形状や数の第２収納空間を容易に形成できる。
【００１５】
本発明の第７の態様は、第１の態様に記載の物置において、前記扉は、前記第１収納空間の内部側から施錠可能な錠前機構を備えた物置を提供する。
この第７の態様によれば、たとえば非常時に物置の前記第１収納空間をトイレとして使用する際に、内側から施錠してプライバシを確保できる。
【００１６】
本発明の第８の態様は、第１の態様に記載の物置において、前記上部構造体と前記下部構造体とが、搬送可能に一体に連結されたコンテナボックスからなる物置を提供する。
この第８の態様によれば、平常時には物品の収納に用いることができ、非常時にはトイレとして使用できる物置において、運搬や設置の利便性が向上する。
【００１７】
本発明の第９の態様は、第８の態様に記載の物置において、前記第１収納空間が複数の独立な小室に分割されている場合、個々の前記小室の各々を独立したトイレ用の個室として機能させるための複数の前記下部構造体および前記トイレキットを含む物置を提供する。
この第９の態様によれば、コンテナボックスの複数の小室を利用して、非常時に複数のトイレを構築することができる。
【００１８】
本発明の第１０の態様は、便器と、汚物用ビニール袋と、既設の物置の基礎部分の空間を便槽として使用する場合に前記便器を設置するための便器用開口部を備えた蓋槽蓋と、前記蓋槽蓋を覆って前記物置の床を構成する床板と、を含む物置用トイレキットを提供する。
この第１０の態様によれば、既存の物置の基礎部分の床下空間を利用して物置用トイレキット保管することにより、平常時には物品の収納に使用される物置を、非常時には床下空間を便槽として利用するトイレとして迅速かつ簡便に有効利用できる。
【発明の効果】
【００１９】
本発明の物置によれば、平常時および非常時のいずれにおいても設置スペースを有効に活用することができる。
本発明の物置によれば、非常時に利便性の高いトイレとして使用することができる。
本発明の物置用トイレキットによれば、既設の物置を非常時にトイレとして有効に活用することができる。
【発明を実施するための最良の形態】
【００２０】
以下、図面を参照しながら、本発明の実施の形態について詳細に説明する。
（実施の形態１）
図１は、本発明の一実施の形態である物置１００の構成の一例を示す斜視図、図２は、その内部構成の一例を示す斜視図、図３は、その屋根部分の分解組立図、図４は、その基礎部分を取り出して示す斜視図である。
【００２１】
本実施の形態の物置１００は、下部構造体としての土台部材１１０と、上部構造体としての側面パネル１２０、扉１３０、屋根１４０を備えている。
【００２２】
図２に例示されるように、側面パネル１２０、パネル結合部材１２１、扉１３０、屋根１４０で囲まれた物置空間１６０（第１収納空間）には、複数の棚板１２２、および当該棚板１２２を支持する支柱１２３が取り外し可能に設置されており、図示しない所望の物品を物置空間１６０の内部に保管することが可能になっている。
【００２３】
図４に例示されるように、土台部材１１０は、たとえば、繊維強化プラスチック（ＦＲＰ）を、開口部が矩形を呈するカップ状に成形して構成されており、内部は、後述のトイレキット１５０が収納される便槽空間１１１（第２収納空間）を構成している。
【００２４】
土台部材１１０の周囲には、設置場所の地面に設けられた後述のような基礎ブロック９００に嵌合する凹型の基礎嵌合部１１２が形成されている。
土台部材１１０の外周部には、基礎嵌合部１１２等の凹凸を隠蔽して美観を向上させるための基礎カバー１１３が必要に応じて装着されている。
【００２５】
土台部材１１０の矩形の開口部の一つの長辺と二つの短辺に、コ字形に配列された側面パネル１２０の下端部が支持されている。土台部材１１０の矩形の開口部の残りの一つの長辺には、たとえば引き違い戸１３１および引き違い戸１３２からなる扉１３０が設けられている。
【００２６】
側面パネル１２０の上端部には、屋根１４０が配置されている。図３に例示されるように、本実施の形態の物置１００の屋根１４０は、その中央部に採光開口部１４０ａを備えている。この採光開口部１４０ａには、たとえば、半透明なプラスチック等で構成され、上方に凸のカップ形状を呈するトップライト１４１が固定されている。
【００２７】
屋根１４０の内側には、遮光性および断熱性を有する天井パネル１４２が、取り外し可能に配置されている。この天井パネル１４２を取り付けた状態では、トップライト１４１を透過する外光の光や熱は天井パネル１４２によって遮断され、物置空間１６０に保管されている図示しない物品の変質等を防止している。
【００２８】
この場合、トップライト１４１には、昼間の日光を吸収して蓄積し、蓄積した光を夜間に光を放出する蓄光性顔料１４１ａが塗布されている。
これにより、トップライト１４１は、蓄光性顔料１４１ａが発する光によって自発的に発光し、後述のように物置１００をトイレとして使用する時に照明として機能する。
【００２９】
本実施の形態の場合、土台部材１１０の内部の便槽空間１１１には、図５に例示されるようなトイレキット１５０が、図６および図７に例示されるような状態にて収納される。
【００３０】
本実施の形態のトイレキット１５０は、一例として、大便器１５１、小便器１５２、便槽蓋１５３、便槽蓋１５４、汚物用ビニール袋１５５、床パネル１５６、床パネル１５７、トイレ用品収納箱１５０ａ、消臭剤ボトル１５０ｂを含んでいる。
【００３１】
このトイレキット１５０のうち、大便器１５１、小便器１５２、消臭剤ボトル１５０ｂは、そのまま便槽空間１１１の内部に収納され、汚物用ビニール袋１５５は、図示しないトイレットペーパ等のトイレ用品とともにトイレ用品収納箱１５０ａに収納された状態で便槽空間１１１に配置される。
【００３２】
図６および図７の例では、土台部材１１０の便槽空間１１１の両端部に大便器１５１、小便器１５２を収納し、中央部にトイレ用品収納箱１５０ａおよび消臭剤ボトル１５０ｂが収納されている。
便槽蓋１５３には、大便器１５１を後述のように設置する際に当該大便器１５１に嵌合する便器用開口部１５３ａが設けられている。
【００３３】
同様に、便槽蓋１５４には、小便器１５２を後述のように設置する際に、当該小便器１５２が嵌合する便器用開口部１５４ａが設けられている。
【００３４】
そして、便槽蓋１５３および便槽蓋１５４は、便槽空間１１１の上部を覆うように、土台部材１１０の開口部に並べて配置され、さらに、その各々の上に、取り外し可能に、床パネル１５６および床パネル１５７が載置されることによって、物置空間１６０の床が構成されている。
【００３５】
この床パネル１５６および床パネル１５７によって、下側の便槽蓋１５３の便器用開口部１５３ａ、および便槽蓋１５４の便器用開口部１５４ａが隠蔽されるため、物置空間１６０の床部分は穴等のない平坦な状態となり、床面全体を有効に利用して、支障なく図示しない所望の物品を並べたり、当該物品を出し入れする作業者が通行することが可能となる。
【００３６】
一方、図１に例示されるように、引き違い戸１３１および引き違い戸１３２からなる扉１３０には、外側から扉１３０に施錠可能な召し合わせ錠等からなる外側錠機構１３４が設けられている。
【００３７】
本実施の形態の物置１００では、後述のように物置空間１６０をトイレとして使用する際に、内側から施錠可能にするための内側錠機構１３５が設けられている。
図８は、扉１３０を物置空間１６０の内側から見た斜視図であり、図９は、その一部を取り出して拡大した斜視図である。
【００３８】
扉１３０の内側には、外側錠機構１３４を避けた高さ位置に、内側錠機構１３５が設けられている。この内側錠機構１３５は、一例として、クレセント錠を用いることができる。
【００３９】
すなわち、本実施の形態の場合、一例として、内側錠機構１３５は、引き違い戸１３１の側に固定されたクレセント本体１３６と、引き違い戸１３２の側に固定されたクレセント受け部１３７で構成されている。
【００４０】
クレセント本体１３６は、固定座１３６ｃ、回動軸１３６ｄを介して引き違い戸１３１に回動自在に支持されている。そして、ハンドル１３６ｂによって嵌合爪１３６ａを、クレセント受け部１３７に嵌合させる位置と離脱させる位置との間で回動させることにより、物置空間１６０の内側から施錠および解錠操作を行うことが可能になっている。
【００４１】
以下、本実施の形態の物置１００の作用の一例について説明する。
まず、図１０、図１１、図１２を参照して、上述のような構成の本実施の形態の物置１００の設置手順の一例を説明する。
【００４２】
図１０に示されるように、所望の設置場所に、物置１００の土台部材１１０における基礎嵌合部１１２の配列ピッチに合わせて複数の基礎ブロック９００を配置し、これらの基礎ブロック９００に対して、複数の基礎嵌合部１１２の各々が嵌合するように、便槽空間１１１の開口部を上向きにして当該土台部材１１０を載置する。
【００４３】
その後、トイレキット１５０の大便器１５１、小便器１５２、トイレ用品収納箱１５０ａ、消臭剤ボトル１５０ｂ等を土台部材１１０の便槽空間１１１の中に配置する。
その後、図１１のように、土台部材１１０の開口部（便槽空間１１１）を隠蔽するように、まず、便槽蓋１５３、便槽蓋１５４を並べて配置する。
【００４４】
その後、側面パネル１２０を土台部材１１０に組み付け、さらに、側面パネル１２０の上端に屋根１４０およびトップライト１４１を組み上げる。
さらに、図１１に例示されるように、便槽蓋１５３、便槽蓋１５４の各々を覆うように、床パネル１５６、床パネル１５７を配置する。
【００４５】
また、土台部材１１０の外周を覆うように、基礎カバー１１３を設置する。
さらに、屋根１４０の内側に天井パネル１４２を設置し、必要に応じて、側面パネル１２０で囲まれた物置空間１６０の内部に棚板１２２、支柱１２３を設置する。
こうして、上述の図１および図２に例示されるような物置１００が完成する。
【００４６】
この図１および図２は、通常の物置として使用される状態を示しており、この状態では、物置空間１６０の床は、床パネル１５６、床パネル１５７によって平坦になっているため、床面全体を図示しない物品等の配列に有効に使用することができる。
【００４７】
また、屋根１４０の部分では、天井パネル１４２が設けられているため、トップライト１４１を透過する日光や熱は天井パネル１４２によって遮断され、物置空間１６０の内部に収納された図示しない物品は、光や熱から保護される。これにより、物置１００は、物置それ自体として、所望の物品の保管や収納の用途に有効に機能する。
【００４８】
なお、本実施の形態の物置１００は、災害時等に使用される防災用品の収納物置として使用することが特に望ましいと考えられる。
【００４９】
一方、たとえば、災害時等の非常時においては、本実施の形態の物置１００は、図１３、図１４、図１５、図１６に例示されるように、必要に応じてトイレとして機能させることができる。すなわち、本実施の形態の物置１００をトイレに変更して使用するためには、以下のように構成を変更する。
【００５０】
まず、物置空間１６０の内部の棚板１２２、支柱１２３、および天井パネル１４２を取り外す。
【００５１】
次に、床パネル１５６、床パネル１５７、便槽蓋１５３、便槽蓋１５４を取り外し、土台部材１１０の便槽空間１１１に収納されていたトイレキット１５０を取り出した後、便槽蓋１５３、便槽蓋１５４を土台部材１１０の開口部に設置する（すなわち元の位置に戻す）。床パネル１５６、床パネル１５７は使用しないので適宜保管する。
【００５２】
そして、トイレキット１５０の大便器１５１を、便槽蓋１５３の便器用開口部１５３ａに、汚物用ビニール袋１５５とともに嵌合させて設置し、小便器１５２を、便槽蓋１５４の便器用開口部１５４ａに汚物用ビニール袋１５５とともに嵌合させて設置する（図１５参照）。
【００５３】
そして、汚物用ビニール袋１５５（便槽空間１１１）の中に消臭剤ボトル１５０ｂから適量の消臭剤を流し込む。
また、大便器１５１側の一方の引き違い戸１３１を図示しない金具等で固定し、他方の小便器１５２の側の引き違い戸１３２のみが開閉されるようにする。
【００５４】
これにより、図１３に例示される外観、および図１４に例示される内部構成を有する物置１００を利用したトイレが完成する。
【００５５】
なお、上述の物置１００からトイレへの切り替え作業は、天井パネル１４２、床パネル１５６、床パネル１５７、便槽蓋１５３、便槽蓋１５４等は着脱式になっているため、作業は極めて短時間で、誰にでも簡単に行うことができる。
【００５６】
こうして本実施の形態の物置１００を、図１３、図１４に例示されるようなトイレとして使用する場合、利用者は、小便器１５２の側の引き違い戸１３２を通じて物置空間１６０（トイレ）の中に入る。
【００５７】
大便器１５１、小便器１５２に排泄される汚物は、各々の汚物用ビニール袋１５５にて捕捉される。なお、汚物用ビニール袋１５５を使用しないで、便槽空間１１１の全体を汲み取り式の便槽として使用してもよい。
【００５８】
大便器１５１を使用する場合は、必要に応じて引き違い戸１３２を閉じて、内部側から内側錠機構１３５を施錠する。これにより用便中のプライバシーを保持できる。
なお、引き違い戸１３２を閉じても、昼間であればトップライト１４１を透過する外光にてトイレ内部が照明されるため、利用者に不便はない。
【００５９】
さらに、夜間の場合には、トップライト１４１に塗布されている蓄光性顔料１４１ａが昼間の日光による蓄光によって自発的に発光するため、電源無しで、トップライト１４１がトイレ内の照明として機能することになる。従って、本実施の形態の場合には、夜間におけるトイレの使用にも全く不便を生じない。
【００６０】
以上説明したように、本実施の形態の物置１００によれば、平常時は、本来の物置として物品等の保管、収納に有効に活用できるとともに、災害時等においては、簡単な切り替え作業にて、土台部材１１０の便槽空間１１１に保管されていたトイレキット１５０を利用してトイレとして使用することが可能になる。
【００６１】
すなわち、本実施の形態の物置１００によれば、平常時および非常時のいずれにおいても設置スペースを有効に活用することができる。
【００６２】
さらに、屋根１４０に、蓄光性顔料１４１ａが塗布された半透明のトップライト１４１を設けることにより、昼間のトイレ使用においてはトップライト１４１を透過する外光が照明として機能し、夜間では、蓄光発光による自発的な発光によって蓄光性顔料１４１ａが照明として機能するので、電源等を全く必要とすることなく、非常時に利便性の高いトイレとして使用することができる。
物置１００は設置型の物置であるため移動も容易である。
【００６３】
（実施の形態２）
図１７は、本発明の他の実施の形態である物置の構成例を示す斜視図であり、図１８は、その平断面図である。本実施の形態２の場合には、物置としてコンテナボックス２００に適用した例を示す。
【００６４】
このコンテナボックス２００は、比較的大型の物置であり、平常時は、たとえば、集合住宅のトランクルームや集会所、自治会、工場の集会所や倉庫として使用されるものである。
【００６５】
本実施の形態のコンテナボックス２００は、土台部材２１０、側壁部２２０、屋根部２５０が一体に結合され、屋根部２５０に設けられたフック２５１によってクレーン等で吊り上げることにより、運搬や設置が容易な構成となっている。
【００６６】
本実施の形態のコンテナボックス２００は、基礎ブロック９００の上に設置され、その内部は、複数の小型収納室２３０と、一つの大型収納室２４０に区切られている。
【００６７】
土台部材２１０は、たとえばＦＲＰ等で成形されることにより、複数の便槽空間２１１が形成されている。すなわち、本実施の形態の場合、土台部材２１０には、複数の小型収納室２３０の各々の直下の位置、および大型収納室２４０のコーナの位置に便槽空間２１１がそれぞれ設けられている。
【００６８】
そして、便槽空間２１１の各々には、上述の実施の形態１の場合と同様に、トイレキット１５０が配置されている。なお、この場合、トイレキット１５０の一部として、手摺部材１５０ｃ、トイレットペーパホルダ１５０ｄ、等を含んでいてもよい。
【００６９】
すなわち、個々の小型収納室２３０においては、直下の便槽空間２１１の内部に大便器１５１および小便器１５２等が収納され、取り外し可能な便槽蓋１５３、床パネル１５６によって便槽空間２１１を隠蔽する床面が構成されている。
また、個々の小型収納室２３０の内部には、棚板２３３が取り外し可能に設けられている。
【００７０】
個々の小型収納室２３０には、扉２３１が設けられ、この扉２３１には、採光のために半透明なプラスチック等で構成される小窓２３２と、ドアノブ２３１ａが設けられている。本実施の形態の場合、小窓２３２には、蓄光性顔料２３２ａが塗布されており、夜間は、蓄光性顔料２３２ａの蓄光発光により、小窓２３２自体が無電源の照明として機能する。
【００７１】
特に図示しないが、ドアノブ２３１ａには、小型収納室２３０の外側および内側のいずれからも施錠可能な錠が設けられている。平常時に物置として使用する場合には、ドアノブ２３１ａに外側から施錠し、非常時に後述のようにトイレとして使用する場合には、内側から施錠してプライバシーを確保することが可能になっている。
【００７２】
大型収納室２４０には、右奥の位置に便槽空間２１１が設けられ、内部にトイレキット１５０が収納され、便槽蓋１５３および床パネル１５６で覆われている。なお、この場合、トイレキット１５０には、洋式便器１５１ａが含まれており、便槽蓋１５３は、洋式便器１５１ａに対応した便器用開口部１５３ａを備えている。また、トイレキット１５０の一部として、手摺部材１５０ｃ、トイレットペーパホルダ１５０ｄ、等を含んでいてもよい。
【００７３】
大型収納室２４０には、引き違い戸からなる扉２４１が設けられている。また、大型収納室２４０に面する側壁部２２０には、採光のために半透明のプラスチック等で構成される小窓２２１が設けられ、この小窓２２１には蓄光性顔料２２１ａが塗布されている。この小窓２２１も蓄光性顔料２２１ａの蓄光発光により夜間は電源不要の照明として機能する。
【００７４】
側壁部２２０の上部には、個々の小型収納室２３０に対応する位置、および大型収納室２４０に対応する位置に、換気口２２２が設けられている。
以下、本実施の形態のコンテナボックス２００の作用について説明する。
【００７５】
平常時は、図１７のような外観を呈し、コンテナボックス２００の個々の小型収納室２３０は、図１８の下側のように、棚板２３３を備え、床面が平坦な床パネル１５６で構成される通常のトランクルームのような物置として機能する。
【００７６】
同様に、大型収納室２４０は、便槽空間２１１の上部が便槽蓋１５３、床パネル１５６で覆われることにより、全体が平坦な床となっており、物置や集会所等として使用される。
【００７７】
一方、非常時には、以下のようにして簡単に図１８に例示されるような簡易トイレに変更できる。まず、小型収納室２３０では、棚板２３３を取り去り、さらに、床部分を構成しているトイレキット１５０の床パネル１５６および便槽蓋１５３を外して、便槽空間２１１の中からトイレキット１５０の大便器１５１、小便器１５２、トイレ用品収納箱１５０ａ、消臭剤ボトル１５０ｂ等を取り出す。
【００７８】
その後、便槽蓋１５３を元に戻して便槽空間２１１の上部を覆い、便器用開口部１５３ａに大便器１５１を嵌合して配置する。また、トイレキット１５０に含まれていた手摺部材１５０ｃ、トイレットペーパホルダ１５０ｄを小型収納室２３０の壁面に適宜固定する。
【００７９】
なお、図１８では、比較のため、複数の小型収納室２３０のうち図中の上半分が簡易トイレに変更された状態を示し、下側半分は変更前の状態が示されているが、全ての小型収納室２３０を簡易トイレに変更することができる。
【００８０】
この小型収納室２３０の簡易トイレの場合、便槽空間２１１をそのまま便槽として用いても良いし、汚物用ビニール袋１５５を大便器１５１の内部に装着して汚物を回収するようにしてもよい。
【００８１】
また、小型収納室２３０の小窓２３２は、トイレとしての使用時には採光窓として機能し、さらに蓄光性顔料２３２ａが塗布されていることにより、夜間には、蓄光性顔料２３２ａの蓄光発光により、電源不要の照明として機能する。
【００８２】
小型収納室２３０のトイレキット１５０に含まれていた小便器１５２は、大型収納室２４０の側壁部２２０の外周に所定の間隔で配置され、各々の小便器１５２の間には、小型収納室２３０から取り外された棚板２３３がスクリーン（目隠し）として配置される。
【００８３】
小便器１５２の排出口は大型収納室２４０の下の便槽空間２１１に接続してもよいし、近傍の排水路に適宜接続してもよい。
【００８４】
一方、大型収納室２４０では、当該大型収納室２４０の下部に配置されている便槽空間２１１を覆っていた床パネル１５６、便槽蓋１５３を取り外して、トイレキット１５０として収納されていた洋式便器１５１ａ等を取り出した後、便槽蓋１５３で便槽空間２１１を覆う。そして、便槽蓋１５３の便器用開口部１５３ａに洋式便器１５１ａを配置する。また、手摺部材１５０ｃ、トイレットペーパホルダ１５０ｄを比較的広い大型収納室２４０の側壁部２２０の内側の適宜の位置に固定する。
【００８５】
これにより、比較的広い大型収納室２４０は、たとえば、洋式便器１５１ａを備えた身障者用の簡易トイレとして使用することができる。
【００８６】
なお、このコンテナボックス２００においては、土台部材２１０における小型収納室２３０および大型収納室２４０の底部に配置された便槽空間２１１を連通させ、図示しない手動式のポンプ等で汚物を下水等に排出する構成とすることもできる。
【００８７】
このように、本実施の形態のコンテナボックス２００の場合にも、平常時は物置や集会所として活用し、災害時等の非常時には、簡易トイレに変更して活用することが可能である。すなわち、平常時および非常時のいずれにおいてもコンテナボックス２００の設置スペースを有効に活用することが可能となる。
【００８８】
（実施の形態３）
本発明の他の実施の形態として、上述のトイレキット１５０を、既設の物置の改造に使用する場合について説明する。
一般に物置等の建物の床下空間（基礎や土台と床板に囲まれた空間）は、いわゆるデッドスペースとして全く活用さていない。
【００８９】
そこで、本実施の形態３の場合には、たとえば、既設の物置の床板を剥がして、代わりに、上述の図５に例示したトイレキット１５０を設置する。
【００９０】
すなわち、既設の床板を剥がして、床下空間に、汚物用ビニール袋１５５等を収納したトイレ用品収納箱１５０ａ、大便器１５１、小便器１５２、さらに必要に応じて消臭剤ボトル１５０ｂを配置し、便槽蓋１５３および便槽蓋１５４、床パネル１５６および床パネル１５７で隠蔽して、既設の物置の床を再構築する。
【００９１】
これにより、既設の単なる物置を、災害時等の非常時におけるトイレとして有効に活用することが可能になる。改造は、既設の床板を剥がす程度の簡単な工事で済むため、改造コストが嵩むこともない。すなわち、低コストにて、既設の物置を、非常時等に使用されるトイレ兼用の物置に改造することができる。
【００９２】
なお、本発明は、上述の実施の形態に例示した構成に限らず、その趣旨を逸脱しない範囲で種々変更可能であることは言うまでもない。
たとえば、物置１００やコンテナボックス２００は、上述の構成に限らず、土台部材１１０や土台部材２１０の部分（すなわち床下部分）にデッドスペースを有する一般の構造物に広く適用することができる。
【図面の簡単な説明】
【００９３】
【図１】本発明の一実施の形態である物置の構成例を示す斜視図である。
【図２】本発明の一実施の形態である物置の内部構成の一例を示す斜視図である。
【図３】本発明の一実施の形態である物置の屋根部分の分解組立図である。
【図４】本発明の一実施の形態である物置の基礎部分を取り出して示す斜視図である。
【図５】本発明の一実施の形態であるトイレキットの構成の一例を示す説明図である。
【図６】本発明の一実施の形態である物置におけるトイレキットの収納状態の一例を示す側面図である。
【図７】本発明の一実施の形態である物置におけるトイレキットの収納状態の一例を示す平面図である。
【図８】本発明の一実施の形態である物置の扉を内側から見た斜視図である。
【図９】本発明の一実施の形態である物置の扉の一部を取り出して拡大した斜視図である。
【図１０】本発明の一実施の形態である物置の設置手順の一例を説明する平面図である。
【図１１】本発明の一実施の形態である物置の設置手順の一例を説明する平面図である。
【図１２】本発明の一実施の形態である物置の設置手順の一例を説明する平面図である。
【図１３】本発明の一実施の形態である物置をトイレとして使用する際の外観を示す斜視図である。
【図１４】本発明の一実施の形態である物置をトイレとして使用する際の内部構造を示す斜視図である。
【図１５】本発明の一実施の形態である物置をトイレとして使用する際の内部構造を示す断面図である。
【図１６】本発明の一実施の形態である物置をトイレとして使用する際の内部構造を示す平面図である。
【図１７】本発明の他の実施の形態である物置の構成例を示す斜視図である。
【図１８】本発明の他の実施の形態である物置の平断面図である。
【符号の説明】
【００９４】
１００  物置
１１０  土台部材
１１１  便槽空間
１１２  基礎嵌合部
１１３  基礎カバー
１２０  側面パネル
１２１  パネル結合部材
１２２  棚板
１２３  支柱
１３０  扉
１３１  引き違い戸
１３２  引き違い戸
１３４  外側錠機構
１３５  内側錠機構
１３６  クレセント本体
１３６ａ  嵌合爪
１３６ｂ  ハンドル
１３６ｃ  固定座
１３６ｄ  回動軸
１３７  クレセント受け部
１４０  屋根
１４０ａ  採光開口部
１４１  トップライト
１４１ａ  蓄光性顔料
１４２  天井パネル
１５０  トイレキット
１５０ａ  トイレ用品収納箱
１５０ｂ  消臭剤ボトル
１５０ｃ  手摺部材
１５０ｄ  トイレットペーパホルダ
１５１  大便器
１５１ａ  洋式便器
１５２  小便器
１５３  便槽蓋
１５３ａ  便器用開口部
１５４  便槽蓋
１５４ａ  便器用開口部
１５５  汚物用ビニール袋
１５６  床パネル
１５７  床パネル
１６０  物置空間
２００  コンテナボックス
２１０  土台部材
２１１  便槽空間
２２０  側壁部
２２１  小窓
２２１ａ  蓄光性顔料
２２２  換気口
２３０  小型収納室
２３１  扉
２３１ａ  ドアノブ
２３２  小窓
２３２ａ  蓄光性顔料
２３３  棚板
２４０  大型収納室
２４１  扉
２５０  屋根部
２５１  フック
９００  基礎ブロック
【図１】
2008002214.tif 000003
【図２】
2008002214.tif 000004
【図３】
2008002214.tif 000005
【図４】
2008002214.tif 000006
【図５】
2008002214.tif 000007
【図６】
2008002214.tif 000008
【図７】
2008002214.tif 000009
【図８】
2008002214.tif 000010
【図９】
2008002214.tif 000011
【図１０】
2008002214.tif 000012
【図１１】
2008002214.tif 000013
【図１２】
2008002214.tif 000014
【図１３】
2008002214.tif 000015
【図１４】
2008002214.tif 000016
【図１５】
2008002214.tif 000017
【図１６】
2008002214.tif 000018
【図１７】
2008002214.tif 000019
【図１８】
2008002214.tif 000020
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
屋根部、側壁部、扉、及び床部で囲まれることにより、平常時には物品を内部に保管するための物置空間を構成する上部構造体と、
上記上部構造体を支持するとともに、平常時には便器，汚物用ビニール袋を含むトイレキットを収納し、かつ、非常時には便槽として使用される便槽空間を形成した下部構造体とを有し、
床部は、便槽空間の上部を覆うように下部構造体の開口部に着脱自在に配置されかつ上記トイレキットに含まれる便器を接続するための便器用開口部を備えた便槽蓋と、平常時には便槽蓋を覆いかつ物置空間の床を構成する取り外し可能な床パネルとを含み、
非常時には、床パネル及び便槽蓋を取り外すとともに、便槽空間に収納されていたトイレキットを取り出し、汚物を捕捉するようにして汚物用ビニール袋を便槽空間に設置するとともに、便器を便器用開口部に接続した便槽蓋を下部構造体の開口部に設置するようにしたことを特徴とする物置。
【請求項２】
便槽蓋を下部構造体の開口部に設置するとき、便器とともに汚物用ビニール袋を便器用開口部に嵌合していることを特徴とする請求項１に記載の物置。
【請求項３】
上部構造体と下部構造体とが、搬送可能に一体に連結されたコンテナボックスからなることを特徴とする請求項１又は２に記載の物置。
【請求項４】
物置空間が複数の独立な小室に分割されており、個々の前記小室の各々を独立したトイレ用の個室として機能させるための複数の下部構造体及びトイレキットを含むことを特徴とする請求項３に記載の物置。
【請求項５】
クレーン等によって吊り上げるための複数のフックを屋根部に設けていることを特徴とする請求項３又は４に記載の物置。
【請求項６】
請求項１〜５のいずれかに記載の物置の便槽空間に収納され、非常時に使用される物置用トイレキットであって、
便器、汚物用ビニール袋、この汚物用ビニール袋を含むトイレ用品を収納するためのトイレ用品収納箱、便器を設置するための便器用開口部を備えた便槽蓋、便槽蓋を覆って前記物置の床を構成する床パネルを含んでいることを特徴とする物置用トイレキット。
【手続補正２】
【補正対象書類名】明細書
【補正対象項目名】０００９
【補正方法】変更
【補正の内容】
【０００９】
請求項１に記載した物置は、屋根部、側壁部、扉、及び床部で囲まれることにより、平常時には物品を内部に保管するための物置空間を構成する上部構造体と、
上記上部構造体を支持するとともに、平常時には便器，汚物用ビニール袋を含むトイレキットを収納し、かつ、非常時には便槽として使用される便槽空間を形成した下部構造体とを有し、
床部は、便槽空間の上部を覆うように下部構造体の開口部に着脱自在に配置されかつ上記トイレキットに含まれる便器を接続するための便器用開口部を備えた便槽蓋と、平常時には便槽蓋を覆いかつ物置空間の床を構成する取り外し可能な床パネルとを含み、
非常時には、床パネル及び便槽蓋を取り外すとともに、便槽空間に収納されていたトイレキットを取り出し、汚物を捕捉するようにして汚物用ビニール袋を便槽空間に設置するとともに、便器を便器用開口部に接続した便槽蓋を下部構造体の開口部に設置するようにしたことを特徴としている。
【手続補正３】
【補正対象書類名】明細書
【補正対象項目名】００１０
【補正方法】変更
【補正の内容】
【００１０】
請求項２に記載の物置は、請求項１に記載した便槽蓋を下部構造体の開口部に設置するとき、便器とともに汚物用ビニール袋を便器用開口部に嵌合していることを特徴としている。
【手続補正４】
【補正対象書類名】明細書
【補正対象項目名】００１１
【補正方法】変更
【補正の内容】
【００１１】
請求項３に記載の物置は、請求項１又は２に記載した上部構造体と下部構造体とが、搬送可能に一体に連結されたコンテナボックスからなることを特徴としている。
【手続補正５】
【補正対象書類名】明細書
【補正対象項目名】００１２
【補正方法】変更
【補正の内容】
【００１２】
請求項４に記載の物置は、請求項３に記載した物置空間が複数の独立な小室に分割されており、個々の前記小室の各々を独立したトイレ用の個室として機能させるための複数の下部構造体及びトイレキットを含むことを特徴としている。
【手続補正６】
【補正対象書類名】明細書
【補正対象項目名】００１３
【補正方法】変更
【補正の内容】
【００１３】
請求項５に記載の物置は、請求項３又は４に記載した屋根部に、クレーン等によって吊り上げるための複数のフックを設けたことを特徴としている。
【手続補正７】
【補正対象書類名】明細書
【補正対象項目名】００１４
【補正方法】変更
【補正の内容】
【００１４】
請求項６に記載の物置用トイレキットは、請求項１〜５のいずれかに記載した物置の便槽空間に収納され、非常時に使用されるものであり、便器、汚物用ビニール袋、この汚物用ビニール袋を含むトイレ用品を収納するためのトイレ用品収納箱、便器を設置するための便器用開口部を備えた蓋槽蓋、蓋槽蓋を覆って前記物置の床を構成する床パネルを含んでいることを特徴としている。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】変更
【補正の内容】
【００１９】
請求項１，２に記載した発明によれば、次の効果を得ることができる。
（１）平常時は物置として物品を収納し、非常時にはトイレとして活用でき、平常時及び非常時のいずれにおいても設置スペースを有効に活用することが可能となる。
（２）平常時に物置の床を物品の置き場所として使用する際における便槽蓋の紛失を防止できるとともに、非常時には、この便槽蓋を使用して物置の床に便器を設置してトイレを簡単に構築できる。
請求項３に記載の発明によれば、上部構造体と下部構造体とが、搬送可能に一体に連結されたコンテナボックスからなるので、平常時には物品の収納に用いることができ、非常時にはトイレとして使用できるとともに、運搬や設置の利便性が向上する。
請求項４に記載の発明によれば、物置空間が複数の独立な小室に分割されており、個々の前記小室の各々を独立したトイレ用の個室として機能させるための複数の下部構造体を有しているので、コンテナボックスの複数の小室を利用して、非常時に複数のトイレを構築することができる。
請求項５に記載の発明によれば、クレーン等によって吊り上げるための複数のフックが設けられているので、運搬や設置を容易に行うことができる。
請求項６に記載の発明によれば、便器に汚物用ビニール袋を使用して汚物を捕捉することにより、汚物の廃棄処理を効率よく行うことができる。
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
屋根部、側壁部、扉、及び床部で囲まれることにより、平常時には物品を内部に保管するとともに非常時には利用者が入るための物置空間を構成する上部構造体と、
矩形を呈するカップ状の開口部に上記上部構造体を支持するとともに、平常時には開口部の内側に便器，汚物用ビニール袋を含むトイレキットを収納し、かつ、非常時には便槽として使用される便槽空間を形成した下部構造体とを有し、
床部は、便槽空間の上部を覆うように下部構造体の開口部に着脱自在に配置されかつ上記トイレキットに含まれる便器を接続するための便器用開口部を備えた便槽蓋と、平常時には便槽蓋を覆いかつ物置空間の床を構成する取り外し可能な床パネルとを含み、
非常時には、床パネル及び便槽蓋を取り外して便槽空間に収納されていたトイレキットを取り出し、汚物を捕捉するようにして汚物用ビニール袋を便槽空間に設置するとともに、便器とともに汚物用ビニール袋を便器用開口部に接続した便槽蓋を下部構造体の開口部に設置するようにしたことを特徴とする物置。
【請求項２】
上部構造体と下部構造体とが、搬送可能に一体に連結されたコンテナボックスからなることを特徴とする請求項１に記載の物置。
【請求項３】
物置空間が複数の独立な小室に分割されており、個々の前記小室の各々を独立したトイレ用の個室として機能させるための複数の下部構造体及びトイレキットを含むことを特徴とする請求項２に記載の物置。
【請求項４】
クレーン等によって吊り上げるための複数のフックを屋根部に設けていることを特徴とする請求項２又は３に記載の物置。
【手続補正２】
【補正対象書類名】明細書
【補正対象項目名】０００９
【補正方法】変更
【補正の内容】
【０００９】
請求項１に記載した物置は、屋根部、側壁部、扉、及び床部で囲まれることにより、平常時には物品を内部に保管するとともに非常時には利用者が入るための物置空間を構成する上部構造体と、矩形を呈するカップ状の開口部に上記上部構造体を支持するとともに、平常時には開口部の内側に便器，汚物用ビニール袋を含むトイレキットを収納し、かつ、非常時には便槽として使用される便槽空間を形成した下部構造体とを有し、
床部は、便槽空間の上部を覆うように下部構造体の開口部に着脱自在に配置されかつ上記トイレキットに含まれる便器を接続するための便器用開口部を備えた便槽蓋と、平常時には便槽蓋を覆いかつ物置空間の床を構成する取り外し可能な床パネルとを含み、
非常時には、床パネル及び便槽蓋を取り外して便槽空間に収納されていたトイレキットを取り出し、汚物を捕捉するようにして汚物用ビニール袋を便槽空間に設置するとともに、便器とともに汚物用ビニール袋を便器用開口部に接続した便槽蓋を下部構造体の開口部に設置するようにしたことを特徴とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項２に記載の物置は、請求項１に記載した上部構造体と下部構造体とが、搬送可能に一体に連結されたコンテナボックスからなることを特徴としている。
【手続補正５】
【補正対象書類名】明細書
【補正対象項目名】００１２
【補正方法】変更
【補正の内容】
【００１２】
請求項３に記載の物置は、請求項２に記載した物置空間が複数の独立な小室に分割されており、個々の前記小室の各々を独立したトイレ用の個室として機能させるための複数の下部構造体及びトイレキットを含むことを特徴としている。  
【手続補正６】
【補正対象書類名】明細書
【補正対象項目名】００１３
【補正方法】変更
【補正の内容】
【００１３】
請求項４に記載の物置は、請求項２又は３に記載した屋根部に、クレーン等によって吊り上げるための複数のフックを設けたことを特徴としている。
【手続補正７】
【補正対象書類名】明細書
【補正対象項目名】００１４
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
請求項１に記載した発明によれば、次の効果を得ることができる。
（１）平常時は物置として物品を収納し、非常時には便槽蓋の便器用開口部に便器を載せて嵌合するだけでトイレとして活用でき、平常時及び非常時のいずれにおいても上部構造体と下部構造体の設置スペースをそれぞれ有効に活用することが可能となる。
（２）平常時に物置の床を物品の置き場所として使用する際における便槽蓋の紛失を防止できるとともに、非常時には、この便槽蓋を使用して物置の床に便器を設置してトイレを簡単に構築できる。
（３）平常時には矩形を呈するカップ状の開口部に上部構造体を支持して物置の土台部材となると同時に土台部材の開口部の内側の便槽蓋までの空間をそのまま利用してトイレキットを収納しておくことができ、非常時には開口部の内側を便槽空間として利用することができ、土台部材の内側を有効活用できる。
請求項２に記載の発明によれば、上部構造体と下部構造体とが、搬送可能に一体に連結されたコンテナボックスからなるので、平常時には物品の収納に用いることができ、非常時にはトイレとして使用できるとともに、運搬や設置の利便性が向上する。
請求項３に記載の発明によれば、物置空間が複数の独立な小室に分割されており、個々の前記小室の各々を独立したトイレ用の個室として機能させるための複数の下部構造体を有しているので、コンテナボックスの複数の小室を利用して、非常時に複数のトイレを構築することができる。
請求項４に記載の発明によれば、クレーン等によって吊り上げるための複数のフックが設けられているので、運搬や設置を容易に行うことができる。